【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
撮像装置であって、
被写体を撮像する撮像手段と、
前記撮像装置の姿勢を検出する姿勢検出手段と、
ユーザからの操作を受け付ける操作手段と、
前記姿勢検出手段によって前記撮像装置が第１の姿勢であると検出された場合に前記操作手段でユーザからの操作を受け付けると、前記撮像手段による撮像を行うように制御し、前記姿勢検出手段によって前記撮像装置が前記第１の姿勢と異なる第２の姿勢であると検出された場合に前記操作手段でユーザからの操作を受け付けると、前記撮像手段による撮像とは異なる処理を実行するように制御する制御手段と
を備えることを特徴とする撮像装置。
【請求項２】
前記撮像装置が第１の姿勢である場合に前記操作手段で撮像の指示を受け付けるか否かを設定する設定手段を更に備え、
前記設定手段によって前記撮像の指示を受け付けると設定された場合に、前記制御手段は、前記姿勢検出手段によって前記撮像装置が前記第１の姿勢であると検出された場合に前記操作手段でユーザからの操作を受け付けると、前記撮像手段による撮像を行うように制御することを特徴とする請求項１に記載の撮像装置。
【請求項３】
表示手段と、
前記姿勢検出手段において前記撮像装置が前記第１の姿勢であると検出された場合に、前記操作手段に対する操作に応じて前記撮像手段による撮像が行える旨を前記表示手段に表示するように該表示手段を制御する表示制御手段と
を更に備えることを特徴とする請求項１または２に記載の撮像装置。
【請求項４】
前記表示手段は前記撮像手段によって撮像された画像を表示可能であり、
前記表示制御手段はさらに、前記操作手段が前記撮像装置が有する複数の操作部材のうちのどの操作部材であるかを示す表示を、前記表示手段が表示するように制御することを特徴とする請求項３に記載の撮像装置。
【請求項５】
前記表示手段は、前記撮像手段によって撮像された画像を表示可能な表示部材とは異なる表示手段であることを特徴とする請求項３に記載の撮像装置。
【請求項６】
前記撮像装置が第１の姿勢である場合に前記操作手段で撮像の指示を受け付けるか否かを設定する設定手段を更に備え、
前記設定手段によって前記撮像の指示を受け付けると設定された場合に、前記制御手段は、前記姿勢検出手段によって前記撮像装置が前記第１の姿勢であると検出された場合に前記操作手段でユーザからの操作を受け付けると、前記撮像手段による撮像を行うように制御し、
前記表示制御手段は、前記設定手段によって前記撮像の指示を受け付けると設定された場合で、かつ、前記姿勢検出手段において前記撮像装置が前記第１の姿勢であると検出された場合に、前記操作手段に対する操作に応じて前記撮像手段による撮像が行える旨を表示するように前記表示手段を制御することを特徴とする請求項３乃至５のいずれか１項に記載の撮像装置。
【請求項７】
前記第１の姿勢は、前記撮像装置の備える表示手段が前記ユーザから見て横長となるような姿勢であり、前記第２の姿勢は、前記表示手段が前記ユーザからみて縦長となるような姿勢であることを特徴とする請求項１乃至６のいずれか１項に記載の撮像装置。
【請求項８】
ユーザの操作に応じて前記撮像手段による撮像の指示を受け付けるシャッター操作部材を更に備え、
前記制御手段は、前記姿勢検出手段によって前記撮像装置が前記第１の姿勢であると検出された場合に前記操作手段でユーザからの操作を受け付けた場合であっても、前記シャッター操作部材で前記撮像の指示を受け付けている場合には、前記シャッター操作部材で受け付けた前記撮像の指示に応じて前記撮像手段による撮像を行うことを特徴とする請求項１乃至７のいずれか１項に記載の撮像装置。
【請求項９】
ユーザの操作に応じて前記撮像手段による撮像の指示を受け付けるシャッター操作部材を更に備え、
前記シャッター操作部材は、操作方法の違いに応じて前記撮像手段の撮像準備動作の指示と、前記撮像準備動作に基づく撮像の指示とを受付可能であり、
前記制御手段は、前記操作手段に対する操作に基づいて前記撮像を行う場合に、前記操作手段に対する操作の開始を前記撮像準備動作の指示として受け付け、前記操作手段に対する操作の継続状態を前記撮像準備動作に基づく撮像の指示として受け付けることを特徴とする請求項１乃至７のいずれか１項に記載の撮像装置。
【請求項１０】
前記制御手段は、前記操作手段に対する操作の開始を前記撮像準備動作の指示として受け付けた場合に、該指示に応じて行われた前記撮像準備動作の完了後、前記操作手段に対する操作が所定時間継続した状態を、前記撮像準備動作に基づく撮像の指示として受け付けることを特徴とする請求項９に記載の撮像装置。
【請求項１１】
前記姿勢検出手段によって前記撮像装置が第１の姿勢であると検出された場合に前記操作手段でユーザからの操作を受け付けて行う前記撮像手段による撮像は、動画像の撮像も含み、
前記姿勢検出手段で検出した姿勢に基づいた情報を前記撮像された動画像の属性情報として記録するように制御する記録制御手段を更に備えることを特徴とする請求項１乃至１０のいずれか１項に記載の撮像装置。
【請求項１２】
前記異なる処理は、各種機能の選択及び切り替えを設定する選択/切り替え処理と、撮影、再生又は通信を実行する際に各種機能の決定及び実行を設定する決定/実行処理と、記録画素数、圧縮率、ISO感度、露出補正、撮影モードのうちの少なくとも一つの設定項目を切り替えるために表示されるメニューの表示及び非表示の切替処理とのうちの少なくとも一つの処理であることを特徴とする請求項１乃至１１のいずれか１項に記載の撮像装置。
【請求項１３】
被写体を撮像する撮像手段と、撮像装置の姿勢を検出する姿勢検出手段と、ユーザからの操作を受け付ける操作手段とを備える撮像装置の制御方法であって、
前記姿勢検出手段によって前記撮像装置が第１の姿勢であると検出された場合に前記操作手段でユーザからの操作を受け付けると、制御手段が、前記撮像手段による撮像を行うように制御する工程と、
前記姿勢検出手段によって前記撮像装置が前記第１の姿勢と異なる第２の姿勢であると検出された場合に前記操作手段でユーザからの操作を受け付けると、前記制御手段が、前記撮像手段による撮像とは異なる処理を実行するように制御する工程と
を備えることを特徴とする撮像装置の制御方法。
【請求項１４】
被写体を撮像する撮像手段と、撮像装置の姿勢を検出する姿勢検出手段と、ユーザからの操作を受け付ける操作手段とを備える撮像装置の制御手段に、
前記姿勢検出手段によって前記撮像装置が第１の姿勢であると検出された場合に前記操作手段でユーザからの操作を受け付けると、前記撮像手段による撮像を行うように制御する工程、
前記姿勢検出手段によって前記撮像装置が前記第１の姿勢と異なる第２の姿勢であると検出された場合に前記操作手段でユーザからの操作を受け付けると、前記撮像手段による撮像とは異なる処理を実行するように制御する工程
を実行させるコンピュータプログラム。
【請求項１５】
請求項１４に記載のコンピュータプログラムを記憶した、コンピュータで読み取り可能な記憶媒体。
【手続補正２】
【補正対象書類名】明細書
【補正対象項目名】０００７
【補正方法】変更
【補正の内容】
【０００７】
上記目的を達成するための本発明は、撮像装置であって、被写体を撮像する撮像手段と、前記撮像装置の姿勢を検出する姿勢検出手段と、ユーザからの操作を受け付ける操作手段と、前記姿勢検出手段によって前記撮像装置が第１の姿勢であると検出された場合に前記操作手段でユーザからの操作を受け付けると、前記撮像手段による撮像を行うように制御し、前記姿勢検出手段によって前記撮像装置が前記第１の姿勢と異なる第２の姿勢であると検出された場合に前記操作手段でユーザからの操作を受け付けると、前記撮像手段による撮像とは異なる処理を実行するように制御する制御手段とを備える。